(57)【要約】【課題】  強風下で使用しても、傘を飛ばすことなく高い安定性で傘を支持できる連結支持具を提供する。【解決手段】  連結支持具３０は、ロープ２１の一方の端部にアイ２２を介して連結され、スリーブ２に対して係止可能なフック部材２３と、ロープ２１の他端部に連結された弾性変形可能なアームバンド２４とで構成されており、前記アームバンド２４は、ヒトの上腕部１１に取り付け可能である。前記フック部材２３は、閉じ部材２３ｂを開放部の内方へ押入してスリーブ２に装着し、開放すると、フック部２３ｃをスリーブ２の径大部２ａに係止でき、脱落を防止できる。前記アームバンド２４は、柄７を把持したヒトの手の上腕部（被固定部位）１１に面接触して巻回可能である。そのため、アームバンド２４は、脱落することなく被固定部位に安定に取り付けることができる。【選択図】      図１
2005095559.tif 000002
【特許請求の範囲】
【請求項１】
傘を被固定体に対して支持するための連結支持具であって、線状の連結部材の端部に、傘の軸部に対して連結するための連結手段を有するとともに、前記連結部材の他端部に、前記被固定体の被固定部位に取り付けるための取付手段を有する連結支持具。
【請求項２】
傘が、軸部の上部に放射状に回動可能に枢着された傘骨と、前記軸部にスライド可能に装着されたスリーブと、一方の端部が前記傘骨の途中部に枢着され、かつ他方の端部が前記スリーブに枢着された下骨と、前記軸部の軸方向においてスリーブの移動範囲を規制するための上下ストッパとを備えており、前記軸部の上部に連結手段が連結可能である請求項１記載の連結支持具。
【請求項３】
連結手段が、傘の手元側への移動が規制され、かつ緊張して軸部を支持可能な形態で、軸部に対して連結可能である請求項１記載の連結支持具。
【請求項４】
連結手段が、軸部の上部に形成された孔に対して着脱可能な嵌入部で構成されており、この嵌入部が孔に対する装着状態で抜き出し不能である請求項１記載の連結支持具。
【請求項５】
連結部材が、可撓性線状部材で構成されている請求項１記載の連結支持具。
【請求項６】
取付手段が、ヒトの上腕部に対して取付可能なバンド部又は面接触可能な湾曲部を有する請求項１記載の連結支持具。
【請求項７】
取付手段が、ヒトの装着物に対して取付可能である請求項１記載の連結支持具。
【請求項８】
請求項１記載の連結支持具を備えた傘であって、前記連結支持具の連結手段が、軸部に対して連結されている傘。
【請求項９】
傘の軸部に、軸方向に沿って形成された溝と、一方の端部が軸部の溝の上部に連結され、かつ前記溝に収容可能な線状の連結部材とを備えている請求項８記載の傘。
【発明の詳細な説明】
【技術分野】
【０００１】
本発明は、傘を安定して支持するための連結支持具及びそれを備えた傘に関する。
【背景技術】
【０００２】
強風下で傘を使用すると、風力や風圧に耐えきれず、傘が飛ばされてしまうことがある。このような傘に作用する風力や風圧による影響を低減させるため、種々の傘が提案されている。
【０００３】
特開２０００−６８６６号公報（特許文献１）には、自転車フレームに傘の柄を着脱可能に取り付けるとともに、自転車フレームと骨先端とをフックを設けた繋ぎ索により着脱可能に緊張状態に繋いだ傘の取付け構造が開示されている。しかし、このような取付け構造では、傘の骨先端を利用するため、十分に安定して傘を支持することが困難である。また、繋ぎ索により傘と自転車とを多点で支持するため、繋ぎ索の取付けには相当な手間がかかる。
【０００４】
また、傘に開口部分を形成して風を排出することにより、傘に作用する風圧、風力を低減する方法が開示されている。例えば、特開２０００−１９８６６５号公報（特許文献２）には、中心軸部と、この中心軸部の上端部に形成されクレーン等のフックやワイヤの掛止手段を掛止する掛止部と、前記掛止部の下側に前記中心軸部に挿入固定又は挿脱自在に挿着された雨よけ板と、前記中心軸部の前記雨よけ板の下部で前記中心軸部に固定又は上下動自在に固定され挿着された骨回動部と、前記骨回動部に一端部が回動自在に系合された２以上の骨部と、前記中心軸部上下動自在に挿入されたロクロ部と、前記中心軸部側の所定部と前記ロクロ部との間に各々の端部が回動自在に固定された受骨部と、２以上の前記骨部間に張設されたカバーシートと、前記骨回動部と前記カバーシートとの間に形成された風吹き抜け部とを備えた荷役用傘カバーが開示されている。特開平１１−２８１１３号公報（特許文献３）には、長杆の所定位置に固定した基部に端部を枢着した複数本の張骨に防水布を取付けて形成する覆布部の頂部に開口部を設け、前記基部より所定間隔をへだてて設けた他の基部に端部を枢着した複数本の張骨に防水布を取付けて形成する冠布部とで形成され、しかも常態において冠布部の裾が前記した開口部を被覆しており、所定圧以上の風圧がかさ内に発生した場合に前記冠布部により開口部の被覆が解除される前に風圧を前記開口部から排出するように構成した耐強風用かさが開示されている。しかし、これらの方法では、傘に作用する風の抵抗力の低減には限界があり、安定して傘を支持するのは困難である。
【０００５】
さらに、傘に強風が作用したときに風を解放する部材を備えた傘が開示されている。例えば、特開２０００−６０６１８号公報（特許文献４）には、上ノッチが上方部に固定され、下ランナが摺動可能に保持される中央軸と、前記中央軸の上ノッチに回動可能に連結された少なくとも上骨に固定される上クロスと、前記中央軸に回動可能に連結された少なくとも下骨に固定される下クロスとを備え、前記下クロスは、頂部において前記中央軸のまわりに円周状に形成される中央開口を有し、前記上クロスは、通常は前記下クロスの中央開口を閉じており、前記上骨の各々は、拡張骨部を介して前記下ランナに連結可能で制御弁に連結される中間部を有し、前記制御弁は、前記上クロスの外フラップ部が固定され前記下骨に近接する前記上骨の外骨部を、前記上下のクロス間の開口を閉じるべく前記下クロスに対して前記上クロスを閉じるように通常は弾性的に復元し、強風が吹いて前記上クロスおよび前記上骨が上方へ引き上げられると前記制御弁が開いて傘の反転を防ぐべく空気を解放するように前記上下のクロス間の開口を開くようにしてなる風に耐えられる傘が開示されている。しかし、このような傘でも、傘に作用する風の抵抗力の低減には限界があり、安定して傘を支持するのは困難である。
【特許文献１】特開２０００−６８６６号公報（特許請求の範囲、図１）
【特許文献２】特開２０００−１９８６６５号公報（請求項１）
【特許文献３】特開平１１−２８１１３号公報（請求項１）
【特許文献４】特開２０００−６０６１８号公報（請求項１）
【発明の開示】
【発明が解決しようとする課題】
【０００６】
従って、本発明の目的は、強風下で使用しても、傘を飛ばすことなく高い安定性で傘を支持できる連結支持具、及びこの連結支持具を備えた傘を提供することにある。
【０００７】
本発明の他の目的は、簡便な操作で傘に連結可能であり、かつ安定して傘を支持できる連結支持具、及びこの連結支持具を備えた傘を提供することにある。
【課題を解決するための手段】
【０００８】
本発明者は、前記課題を達成するため鋭意検討した結果、傘の軸部とヒトの上腕部などの被固定部位とを連結して傘を使用すると、傘の柄（持ち手）と被固定部位との２点で傘を支持することにより、強風時（特に風雨の強い天候）などの悪天候下であっても、安定して傘を保持できることを見いだし、本発明を完成した。
【０００９】
すなわち、本発明の連結支持具は、傘を被固定体に対して支持するための連結支持具であって、線状の連結部材の端部に、傘の軸部に対して連結するための連結手段を有するとともに、前記連結部材の他端部に、前記被固定体の被固定部位に取り付けるための取付手段を有する。このような構成の連結支持具によれば、傘の軸部と被固定部位（ヒトの上腕部、肩部、胴回りなど）とを連結でき、傘の柄（持ち手）と被固定部位との２点で傘を支持することにより、強風時（特に風雨の強い天候）などの悪天候下であっても、安定して傘を支持又は保持できる。
【００１０】
前記連結手段は、慣用の傘、例えば、軸部の上部に枢着され、放射状に回動可能な傘骨と、前記軸部にスライド可能に装着されたスリーブと、一方の端部が前記傘骨の途中部に枢着され、かつ他方の端部が前記スリーブに枢着された下骨と、前記軸部の軸方向においてスリーブの移動範囲を規制するための上下ストッパとを備えた傘において、前記軸部の上部に連結可能であってもよい。軸部の上部に連結手段を連結すると、傘の柄と連結位置との距離を十分に維持できるため、より安定して傘を支持できる。
【００１１】
前記連結手段は、傘の手元側への移動が規制され、かつ緊張して軸部を支持可能な形態で、軸部に対して連結可能であるのが好ましい。このような連結手段では、傘の手元への移動が規制された状態で軸部に対して緊張して連結できるので、脱落、滑り落ちなどを生じることなく、安定に軸部に連結できる。
【００１２】
また、前記連結手段は、軸部の上部に形成された孔に対して着脱可能な嵌入部で構成してもよく、この嵌入部は孔に対する装着状態で抜き出し不能であってもよい。このような形態では、連結部を軸部の孔に簡単に嵌入できるため、連結が容易であるとともに、脱着も容易である。
【００１３】
前記連結部材は、被固定部位と軸部との連結をスムーズにかつ安定して行うため、可撓性線状部材（ロープなど）で構成できる。
【００１４】
さらに、前記取付手段は、ヒトの上腕部に対して取付可能なバンド部又は面接触可能な湾曲部を有する部材（面ファスナーなど）などで構成できる。また、取付手段は、装着物（又は装身具）に対して取付可能であってもよく、例えば、ヒトの装着物（例えば、リュックサック、ランドセルなどのヒトの肩部に装着した装着物、ベルトなどのヒトの胴回り又は腰回りに装着した装着物など）に対して取付可能であってもよい。このような取付手段では、被固定部位に対して脱落することなく、安定に取り付けできるとともに、傘を安定して支持できる。
【００１５】
本発明は、前記連結支持具を備えた傘であって、前記連結支持具の連結手段が、軸部に対して連結されている傘を包含する。この傘では、傘の軸部に、軸方向に沿って形成された溝と、一方の端部が軸部の溝の上部に連結され、かつ前記溝に収容可能な線状の連結部材とを備えていてもよい。前記構成の連結支持具を備えた傘では、連結支持具を備えているため、強風時（特に風雨の強い天候）などの悪天候下であっても、安定して傘を支持又は保持できる。特に、前記軸部に形成された溝に線状の連結部材（チェーンなど）を収容した傘では、傘の開閉に伴って、連結支持具を溝に収容できるため、使用方法が極めて簡便である。
【発明の効果】
【００１６】
本発明の連結支持具によれば、傘と被固定部位（ヒトの上腕部など）とを連結して支持するので、強風下で使用しても、傘を飛ばすことなく高い安定性で傘を支持できる。また、簡便な操作で傘に連結可能であり、かつ安定して傘を支持できる。
【発明を実施するための最良の形態】
【００１７】
以下に、必要により添付図面を参照しつつ本発明を詳細に説明する。図１は、傘に連結されるとともにヒトの上腕部に取り付けられた本発明の連結支持具の一例を示す概略斜視図である。
【００１８】
図１において、傘１０ａは、頂部１ａ（一方の端部）に嵌着されたキャップ６を有するとともに下部（又は手元部）１ｂ（他端部）に嵌着された柄７を有する軸部１と、前記頂部１ａ近傍（キャップ６の基部又は下部）の軸部１に一方の端部が連結又は枢着され、かつ放射状に回動自在な複数の傘骨９と、前記軸部１に対して摺動（又はスライド）自在に装着されたスリーブ（又はロクロ部）２と、一方の端部が前記傘骨９の途中部のヒンジ式の連結部９ａに回動可能に連結又は枢着され、他方の端部が前記スリーブ２の下骨連結部２ｂに回動可能に連結又は枢着された複数の下骨８と、傘骨９上に張設された張布（図示せず）とで構成されている。
【００１９】
前記軸部１には、前記スリーブ２の軸方向の移動を規制するため、スリーブ２の周面に軸方向に形成された第１のスリットに対して、スリーブ２の下方への摺動に伴って嵌着可能な下部ストッパ３と、スリーブ２の周面に軸方向に形成された第２のスリットに対して、スリーブ２の上方への摺動に伴って嵌着可能な上部ストッパ４と、この上部ストッパよりも軸部の頂部側に形成された突起部５とが形成されている。前記スリーブ２の手元側（下端部）には径大部２ａが形成されている（径大部は必ずしも必要ではない）。
【００２０】
前記下部ストッパ３は、付勢部材（スプリングなど）により軸部１の外方に付勢され、半径方向に進退動可能であるとともに、軸部１の下方に向かって半径方向の高さが大きく形成されており、下部ストッパ３の下端部は、前記スリーブ２の第１のスリットの下端部に対して係止可能である。なお、下部ストッパ３の下端部は、スリーブ２を手元側にスライドさせて、下骨８を収縮した状態で、前記スリーブ２の第１のスリットと係止可能である。前記上部ストッパ４も、付勢部材（スプリングなど）により軸部１の外方に付勢され、半径方向に進退動可能であるとともに、軸部１の上方に向かって半径方向の高さが大きく形成されており、上部ストッパ４の上端部は、前記スリーブ２の下端部に対して係止可能である。なお、上部ストッパ４の上端部は、スリーブ２を頂部側にスライドさせて、下骨８を拡張した状態で、前記スリーブ２の下端部と係止し、スリーブ２が下方へスライドするのを規制する。なお、突起部５は、スリーブ２が過度に頂部側にスライドするのを規制する。
【００２１】
このような構造の傘では、スリーブ２を頂部１ａ方向へ摺動させると、スリーブ２を支点として下骨８で支持された傘骨９が放射状に開放し、上部ストッパ４で開放状態を維持できる。一方、スリーブ２を手元側（下方）へスライドさせると、下骨８で支持された傘骨９が収縮し、下部ストッパ３により収縮状態が維持される。
【００２２】
そして、強風下でも傘１０ａを確実に支持するため、前記軸部１のスリーブ２には、連結支持具３０が着脱可能に取り付けられる。すなわち、前記連結支持具３０は、ロープ２１と、このロープ２１の一方の端部にアイ２２を介して連結され、前記スリーブ２に対して係止可能なフック部材２３と、前記ロープ２１の他端部に連結された弾性変形可能なアームバンド２４とで構成されており、前記アームバンド２４は、ヒトの上腕部１１に取り付け可能である。前記フック部材２３は、前記アイ２２に連結されたリング２３ａと、このリング２３ａに回動可能に取り付けられ、開放部を有するＣ字状フック２３ｃと、このフックの開放部において、外方向へ付勢され、かつ内方向への押圧により開放部を開放可能な閉じ部材２３ｂとで構成されている。そのため、閉じ部材２３ｂを開放部の内方へ押入してスリーブ２に装着し、開放すると、フック部２３ｃをスリーブ２の径大部２ａに係止でき、脱落を防止できる。前記アームバンド２４は、柄７を把持したヒトの手の上腕部（被固定部位）１１に面接触して巻回可能である。そのため、アームバンド２４は、脱落することなく被固定部位に安定に取り付けることができる。
【００２３】
このような連結支持具では、フック部材２３をスリーブ２に装着し、アームバンド２４を上腕部１１に取り付けることにより、傘１０ａの軸部１を２点で支持できる。そのため、強風下などにおいても、連結部材（ロープ）２１の張力により軸部１を支持でき、傘１０ａを飛ばすことなく安定に保持できる。また、前記連結支持具３０及びアームバンド２４の取付及び取り外しも簡単に行うことができる。
【００２４】
図２は、本発明の他の連結支持具と、この連結支持具を備えた傘の概略斜視図である。なお、以下、図１と同じ要素には同一の符号を付して説明する。図２において、連結支持具４０は、樹脂で被覆され、かつ螺旋状線状体で構成された伸張バネ４５と、この伸張バネ４５の一方の端部に連結され、かつ軸部１を挟持可能な挟持具（クリップ）４３と、前記伸張バネ４５の他方の端部に連結された面ファスナー４６とを備えている。
【００２５】
前記クリップ４３は、長方形状の支持辺と、この支持辺の端部から互いに対向して延出し、かつ内方に付勢され、先端部が互いに接触可能な付勢辺とで構成された板バネ４１とを備えており、前記付勢辺の先端部とは反対側の付勢辺には、付勢辺に抗して一対の付勢辺の先端部を開放するための一対の柄部４２ａ、４２ｂが形成されている。そのため、前記柄部４２ａ、４２ｂを、互いに近づくように押圧することにより、付勢辺の先端部を開放して連結部位に対して挟着できる。なお、前記柄部４２ａ、４２ｂには、それぞれ取付
用孔が形成されている。
【００２６】
また、ベルト状の面ファスナー４６は、表面にそれぞれ、一方の端部近傍から所定の幅で鉤部４６ａが形成され、他方の端部には、前記鉤部４６ａと係合可能なループ部４６ｂが形成されている。そのため、被固定部位に巻回させて、鉤部４６ａとループ部４６ｂとを接触させることにより、被固定部位に面接触させて取付けることができる。
【００２７】
さらに、伸張バネ４５は、一方の端部がアイ４４を介して前記柄部４２ａの孔に連結されるとともに、他方の端部が、連結部（図示せず）を介して、前記面ファスナー４６に連結されている。伸張バネ４５は、安定して傘を支持できる範囲で伸張が規制されている。
【００２８】
そして、前記クリップ４３は、前記板バネ４１の付勢力を利用して、上ストッパ４と下ストッパ３との間であって、上ストッパ４近傍の軸部１に傘の手元側（柄の方向）へ移動することなく挟着されている。なお、面ファスナー４６は、前記のように、被固定部位（ヒトの上腕部など）に巻き付け、鉤部４６ａとループ部４６ｂとを接触させて貼り合わせることにより、脱落することなく被固定部位に対して安定に取付け可能である。
【００２９】
このような支持具では、クリップ４３を軸部の上部に連結（挟着）できるので、前記と同様に、安定して軸部を２点で支持できる。また、板バネの付勢力を利用して挟着するので、連結時の脱落や、落下防止（滑り止め）のため、必ずしも移動規制手段（前記スリーブの径大部など）に接触させて連結する必要がなく、連結も簡便である。さらに、伸張バネの伸縮性を利用するため、急激な力が作用しても、作用力に対して伸縮でき、安定に傘を支持できる。また、面ファスナー４６は、取付が容易であり、被固定部位に対する固定性及び自由度が高い。
【００３０】
なお、クリップ４３は、板バネ４１の内側面（軸部と接触する面）に、軸部に対して吸着可能なマグネットを備えていてもよい。さらに、クリップの内面には、滑り止め手段、例えば、弾性ゴムなどを装着してもよい。
【００３１】
本発明の連結支持具は、傘の軸部（軸部の上部）に形成された孔に対して着脱可能な嵌入部で構成された連結手段を傘の軸部に対して嵌入させて連結することもできる。
【００３２】
図３は、本発明のさらに他の連結支持具と、この連結支持具を備えた傘の概略斜視図である。図３の傘１０ｂにおいて、軸部１の上部には、ビーズを嵌入するための鍵孔状の孔５１が形成されている。前記鍵孔状の孔５１は、円形状の孔部５１ａと、この孔部５１ａから軸部１に沿って下方に延び、かつ幅狭の矩形状孔部５１ｂとで構成されている。そして、連結支持具５０は、ほぼ同じ大きさの複数のビーズが線状部材で連続された連結ビーズ５２で構成されており、この連結ビーズ５２の一方の端部に位置するビーズ５２ａを前記孔５１に嵌入させることにより、軸部に連結可能である。
【００３３】
すなわち、端部ビーズ５２ａが連結手段として機能し、このビーズ５２を除く部分のビーズが連結部材として作用しており、連結手段と連結部材とが一体化して連結ビーズ５２を構成している。詳細には、突起部５よりも上方頂部側の軸部１には、柄７方向が幅狭に延びて形成された幅狭部（又は矩形状孔部）５１ｂ（幅約２ｍｍ）を有する鍵孔状の孔（嵌入部）５１が形成されており、前記孔５１（径約６ｍｍ）には、連結ビーズ５２の端に位置するビーズ５２ａ（径約４ｍｍ）が嵌入（又は埋入）可能である。一方、ビーズ間の線状部材５２ｂ（径約１ｍｍ）は、幅狭部５１ｂよりも細く形成されている。従って、連結ビーズの端部に位置する端部ビーズ５２ａを前記孔５１に挿入（嵌入）し、下方に移動させると、端部ビーズ５２ａが、矩形状孔部５１ｂで係止して抜き出し不能となり、傘の手元側への移動が規制された状態で連結される。また、孔５１へ嵌入するビーズ５２ａを選択することにより、連結支持具５０の長さを調整可能である。
【００３４】
なお、連結支持具５０は、前記連結ビーズ５２の他方の端部に連結され、かつ被固定部位（ヒトの上腕部など）に沿わせて（面接触させて）挟持するための挟持体５３を備えている。この挟持体５３は、Ｃ字状のリング体（又はバンド）で構成されている。そのため、開口部を広げて被固定部位に装着し開放することにより、リング体の挟持力又は締付力を利用して、脱落することなく被固定部位に取付可能である。
【００３５】
このような支持具では、孔に対する嵌入を利用することにより、安定して軸部を２点で支持できる。また、予め軸部に形成した孔を利用するので、連結支持具をコンパクト化でき、ビーズの連結方法も簡便である。さらに、取付手段としての挟持体は、取付けが極めて容易であり、内方向（被固定部位を締め付ける方向）に作用する付勢力を利用して、安定して被固定部位に挟持可能である。
【００３６】
なお、孔に埋入させるビーズは、ビーズ間の線状部材による抜け止めを利用できる限り、少なくとも端部のビーズを含んでいればよく、端部ビーズ５２ａを含む複数（例えば２〜５）のビーズを孔５１に埋入させてもよい。
【００３７】
また、上記のようなビーズの嵌入（埋入）を利用する形態では、軸部に対してビーズを嵌入（埋入）できればよく、上記のように必ずしも傘の軸部に直接的に孔を形成する必要はない。例えば、前記と同様の孔を有する部材（例えば、筒状部材）を軸芯を同じくして（必要に応じて移動規制手段に接触させて）軸部に連結し、この部材の孔に端部のビーズを埋入（又は係入）してもよい。
【００３８】
図４は、ビーズの嵌入を利用して傘に本発明の連結支持具を連結するための部材の一例を示す概略斜視図である。
【００３９】
傘の軸部に装着可能な筒状部材６０は、軸部に装着するための筒部６１と、この筒部６１の軸方向に設けられ、筒部６１を開放して軸部に装着するための開放部（又は開口部）６４と、筒部の周方向に沿って凹設され、ビーズを抜け止め状態で嵌入可能な断面凸状の溝６３とで構成されている。前記溝６３は、ビーズの線状部材が移動可能な幅狭の開口縁と、この開口縁から内方に向かって延び、かつ内径が大きくなる幅広部（図示せず）とで構成され、内方側に向けて幅狭の溝と幅広の溝（図示せず）が形成されており、この溝の一部には、ビーズが嵌入可能な孔６２と、この孔６２の両側にスライド嵌合可能であり、かつビーズの脱落を防止するためのストッパ６５ａ、６５ｂとが設けられている。
【００４０】
すなわち、ビーズを、孔６２（径約８ｍｍ）に嵌入して、溝６３方向に移動させストッパ６５ａ、６５ｂを閉じると、幅広の溝幅（約６ｍｍ）＞ビーズ径（約４ｍｍ）＞幅狭の溝幅（約２ｍｍ）＞線状部材の径（約１ｍｍ）の関係を満たすため、ビーズが、抜け止めされた状態で、ストッパ６５ａからストッパ６５ｂの間で溝６３に沿って周方向に自由に移動可能（回動可能）となる。そのため、ビーズは、孔６２に装着（嵌入）した状態では、抜き出し不能となり、安定してビーズを連結できる。さらに、外力が周方向に作用しても、外力を吸収でき、安定に傘を支持できる。
【００４１】
なお、筒状部材６０は、開放部６４を介して（開放して）、傘の軸部の適当な位置（例えば、前記突起部５に接触させて）に同軸に連結可能である。
【００４２】
嵌入（埋入）を利用する連結支持具において、連結手段（嵌入部）は、孔（軸部に形成された孔、前記筒状部材の孔など）に対する嵌入を利用できれば、必ずしもビーズに限定されず、他の嵌入可能な部材であってもよい。また、連結支持具は、必ずしも連結手段と連結部材とが一体化されている必要はなく、例えば、端部にのみビーズを有する部材（前記ロープや伸張バネなど）で構成してもよい。さらに、連結手段は連結部材（前記ロープ、伸張バネなど）に連結可能であれば、孔（前記図４の筒状部材の孔など）に対して脱落することなく嵌入された状態で予め固定されていてもよい。
【００４３】
図５は、本発明の別の連結支持具と、この連結支持具を備えた傘の一例を示す概略斜視図である。
【００４４】
傘１０ｃの軸部には、所定の位置に軸方向に沿って、連結支持具８０を構成するチェーン８１を収容可能な溝７０が形成されている。この溝７０は、上部ストッパ４、下部ストッパ３及び突起部５を避けて、突起部５と頂部１ａとの間の所定の位置から下部ストッパ３よりも柄７側の所定の位置にかけて形成されている。そして、連結支持具８０は、多数の連結した小リングにより形成されたチェーン８１と、このチェーン８１の一方の端部に連結されたリング８２と、前記チェーン８１の他方の端部に連結された前記面ファスナー４６とで構成され、前記リング８２は、チェーン８１の端部に位置する小リング８１ａに連結された状態で、溝７０の上部の軸部１に連結固定されている。
【００４５】
すなわち、連結手段としての前記リング８２が固定されており、前記溝７０の幅が、チェーン８１の直径よりも大きく形成されているため、傘が閉じた状態において、脱落させることなく軸部に沿わせてチェーン８１を溝７０に収容可能である。なお、傘の閉じ状態において、面ファスナー４６は、下ストッパ３よりも柄７側に位置するように設けられており、スリーブ２の軸方向への移動（傘の開閉）を妨げることはない。従って、傘を閉じた状態（スリーブのスリットが下部ストッパに嵌入した状態）において、チェーン８１は溝７０に収容され、傘を開いた状態（前記突起部が上部ストッパに接触した状態）では、図に示すように、スリーブ２による規制から開放されるため、溝７０からチェーン８１を引き出して面ファスナー４６を被固定部位に取付可能である。
【００４６】
このような傘では、溝に連結部材を収容可能であり、傘に連結支持具を連結する手間を省略できるとともに、持ち運びに有利である。また、傘を閉じた状態では、連結部材としてのチェーンの移動は、スリーブによる位置決めおよび固定機能により抑制できるので、下骨や傘骨にチェーンが巻き付くおそれがなく傘に連結支持具（連結部材）を効率よく収容することができる。
【００４７】
なお、上記態様の連結支持具において、軸部に形成した溝に収容可能であれば、連結部材はチェーンに限定されず、ひも、ロープ、連結ビーズなどの他の線状の連結部材であってもよい。また、連結手段は柄方向への移動を規制した状態で軸部に連結できる限り、軸部に固定されたリングに限定されず、頂部の方向に移動可能な部材［係止可能な部材（前記フックなど）、締結可能な部材（前記ベルト又はバンドなど）など］であってもよく、前記リングと同様に軸方向への移動を規制可能な部材（前記クリップなどの挟着可能な部材など）であってもよい。さらに、溝の位置は、スリーブの移動を損なわなければ特に限定されず、例えば、上ストッパよりもやや手元側の位置から下部（又は手元部）近傍にかけて形成してもよい。
【００４８】
また、上記態様の連結支持具では、リングを設けることなく軸部に連結することもでき、例えば、連結部材としてのチェーンの端部を傘の軸部に、溶接、結着などの連結手法により固定してもよい。
【００４９】
本発明の連結支持具は、ヒトの装着物（装着品）を利用することにより、ヒトの上腕部以外の部位（肩部、胸部、胴回りなど）に対して取り付けることもできる。図６は、傘に連結されるとともに、ヒトの肩部に装着した装着物に取り付けられた本発明の連結支持具の一例を示す概略斜視図である。
【００５０】
図６において、連結支持具９０は、前記図１の連結支持具と同様に、スリーブ２に装着可能なフック部材２３と、アイ２２と、ロープ２１と、このロープ２１の他端部にアイ９２を介して連結され、前記フック部材２３と同様の構造を有するフック部材９１とで構成されている。そして、前記フック部材９１は、リュックサック９３のループ状紐状体９５ａに取り付け可能である。リュックサック９３は、収容部９４と、この収容部９４の側面に取り付けられ、ヒトの手及び肩を通すことが可能であり、長さが調整可能な一対のループ状紐状体９５ａ，９５ｂとで構成されている。詳細には、前記ループ状紐状体９５ａの肩部に対応する位置には、リング状部材９６が縫付けられており、このリング状部材９６に、前記フック部材９１の閉じ部材９１ａを内方へ押入して装着して開放することにより、フック部材９１の脱落が防止された状態でリング状部材９６に係止できる。
【００５１】
このような連結支持具では、上腕部に対する締め付けなどを必要とせず、装着品に対して取り付け可能であるので、取付及び取り外しが簡便であるとともに、傘に風力が作用しても、人体に作用する張力の影響を低減できる。
【００５２】
なお、リング状部材は、予めリュックサックに縫付けられたリング状部材を使用してもよく、慣用のリュックサックに縫付けてもよい。また、リング状部材の位置は、支持安定性を損なわない範囲でループ状紐状体の適当な位置に設けられていればよく、例えば、ヒトの胸部に対応する位置などであってもよい。
【００５３】
本発明の連結支持具において、連結手段は、脱落することなく軸部（好ましくは軸部の上部）に連結可能であればよく、特に、前記例示の連結手段のように、連結支持具の使用時において、傘の手元側への移動が規制された状態で、かつ緊張して軸部を支持可能な形態で軸部（特に軸部の上部）に対して連結可能であるのが好ましい。そのため、このような機能を備えている限り、前記例示の連結手段（フック、クリップ、リングなど）に限定されず、前記例示の連結手段は相互に代替してもよく、他の連結手段に代えてもよい。
【００５４】
例えば、前記例示の連結手段（例えば、前記フック部材）に代えて、軸部に対して取付可能な他の連結手段、例えば、係止可能な部材［他のフック部材（押圧により開放部を開放可能な進退ロットを具備したフックなど）、リング状部材（軸部に連結するためのＣ字状リングと、このリングの切れた部分から延出して設けられた開放可能な一対の閉じ部と、この一対の閉じ部を貫通して設けられた孔に対して、閉じ部を開放不能に締め付け可能な一対のボルト及びナットとを備えたリングネジなど）］、締結可能な部材［バンド又はベルト状部材（腕時計などに使用される締結の程度を調整可能なバンドなど）］などを使用してもよい。また、前記連結手段（前記挟持具など）に代えて、移動規制手段を利用した連結を要することなく、傘の手元側への移動を規制可能な他の連結手段、例えば、他の挟着可能な部材［例えば、軸部に対して直接的にかつ緊密に締結可能な部材（他の形状のクリップや、軸部に締付け可能なクランプなど）］などを使用することもできる。
【００５５】
連結手段の連結位置は、移動が規制された状態で安定して傘を支持するため、柄との距離を十分に保持できる連結位置であるのが好ましい。そのため、連結位置は、傘や連結手段の種類にもよるが、通常、軸部の上部［例えば、軸部の長手方向の中間部（特に上ストッパよりも手元側）と頂部との間に位置する軸部（突起部と頂部との間、スリーブ近傍、突起部近傍、上ストッパ近傍、スリーブ上など）］である場合が多い。より具体的には、柄［軸部に対する柄の付け根の位置（前記軸部の下部１ｂ）］と連結位置との間の距離は、傘の種類にもよるが、例えば、１５〜７０ｃｍ、好ましくは２０〜６０ｃｍ、さらに好ましくは２５〜５０ｃｍ程度であってもよい。
【００５６】
また、連結位置（孔を利用する連結形態では孔の形成位置）は、連結手段の種類（前記フック、前記クリップ、前記ビーズなど）に応じて選択できる。例えば、係止可能な連結部材（前記フックなど）を利用する連結形態では、スリーブと軸部との径の差を利用して、前記スリーブや突起部の上部と連結手段を接触させて連結（例えば係止）してもよく、必要に応じて、軸部に対して径大部（移動規制手段）を形成可能な部材（例えば、輪ゴムなどの軸部に固定して巻き付け可能な部材など）を軸部の上部に巻回、固定などにより形成して、移動規制手段として用いてもよい。
【００５７】
連結部材は、軸部及び被固定部位に対して、懸架又は張架できればよく、前記例示の連結部材（ロープ、連結ビーズ、チェーンなど）は相互に代替可能であるとともに、種々の他の部材にも代替可能である。例えば、可撓性線状部材（前記ロープ、連結ビーズ、チェーンの他、ひも、ワイヤなどの非伸縮性部材；伸張ばねの他、ゴムひもなどの伸縮性部材など）、非可撓性部材（棒など）を使用してもよい。本発明では、取扱性向上の観点から、通常、可撓性の線状部材を好適に使用できる。なお、伸縮性部材は、連結支持具の使用時に、安定して支持できる範囲で（例えば、外力を吸収可能であり、かつ安定に支持可能な範囲）伸縮するのが好ましい。
【００５８】
なお、連結部材の長さは、連結部材の種類（例えば伸縮性の有無など）、支持具の連結位置や被固定部位に応じて適宜調整でき、例えば、被固定部位がヒトの上腕部である場合、３０〜１００ｃｍ、好ましくは５０〜８０ｃｍ程度であってもよい。
【００５９】
また、連結手段及び／又は取付手段は、連結部材に対して、連結部（例えば、アイ、つなぎなど）を介して連結されていてもよく、結着、溶接、かしめなどの連結手法により連結部材と直接的に一体化されて連結されていてもよい。また、連結手段及び／又は取付手段は、連結部材に対して着脱可能であってもよい。
【００６０】
被固定部位に対する取付手段は、前記例示の取付手段に限定されず、被固定部位の形状、大きさなどに応じて適宜選択でき、種々の部材を使用できる。例えば、被固定部位（特にヒトの上腕部）に対して取付可能なバンド部又は面接触可能な湾曲部を有する部材、例えば、被固定部位に対して締め付け機能を有する部材［前記例示の取付手段（アームバンド、面ファスナーなど）の他に、例えば、リングゴム、ベルトなど］を好適に使用できる。このような取付手段を使用すると、被固定部位に沿わせて（又は面接触させて）取付でき、被固定部位からの移動を規制可能であり、脱落を生じることなく取り付けできる。
【００６１】
また、取付手段は、被固定部位がヒトの上腕部である場合には、必ずしもヒトの上腕に対して取り付ける必要はなく、上腕部に対応する衣服や、ヒトの胴回り（又は胴回りに対応する衣服、ベルトなど）などに取付可能な部材であってもよい。衣服に取り付けるという観点からは、衣服の少なくとも一部分に取付可能な部材、例えば、クリップ（前記例示のクリップなど）、安全ピンなどを取付手段として利用することもできる。
【００６２】
さらに、取付手段を装着品に取り付ける場合、取付手段は、前記フック部材に限らず、装着品の被固定部位の形状やその大きさなどに応じて、上記例示の取付手段の他、前記連結手段の項で例示の部材（例えば、リングネジ、バンド又はベルトなど）を利用してもよい。
【００６３】
被固定体としては、ヒト、自転車などが例示できる。また、被固定体の被固定部位（取付手段の取付位置）は、被固定体の種類に応じて選択でき、例えば、被固定体がヒトである場合、取付安定性などの観点から、通常、上半身、例えば、腕部（特に上腕部）、肩部、胴部（胴回り、胸部、腰部など）、これらに部位に装着した装着物（着用した衣服；リュックサック、ランドセル、サスペンダー、ショルダーバックなどの肩部に装着した装着物；ベルトなどの胴部に装着した装着物など）の対応する部位などが例示でき、特に、前記のように上腕部（特に、傘の柄を把持する手の上腕部）や肩部であってもよい。なお、被固定部位が、胴部や肩部である場合、通常、これらの部位に装着した（又は装着可能な）装着物（上半身に装着した装着物）に対して取付手段を取り付けることが多い。
【００６４】
また、装着品の被固定部位は、装着品の種類に応じて適宜選択でき、例えば、装着品がリュックサックやランドセルなどである場合、前記締め付け機能を有する部材（ベルトなど）を、ループ状紐状体（肩ひもなど）に直接的に締結して取り付けてもよい。
【００６５】
なお、前記のように、柄と被固定部位との距離もまた、安定して支持できる範囲で十分に離れているのが好ましく、例えば、柄（軸部に対する柄の付け根の位置）と、取付手段の取付位置との間の距離は、傘の種類や被固定部位にもよるが、例えば、２０〜８０ｃｍ、好ましくは２５〜７０ｃｍ、さらに好ましくは２５〜６０ｃｍ程度であってもよい。
【００６６】
また、本発明の連結支持具は、複数（例えば２）の連結支持具を傘の軸部に対して連結して使用してもよい。例えば、複数の連結支持具において、軸部に複数の連結手段を連結し、複数の取付手段を、被固定部位と、その近傍の被固定部位とに取り付けて支持してもよい。
【００６７】
本発明の連結支持具を適用可能な傘の種類は、特に限定されず、ボタンを押すことにより自動的に開く機能を有する傘（いわゆるジャンプ傘）、折り畳み傘などであっても使用でき、また、雨傘、日傘、晴雨兼用傘にかかわらず使用できる。
【産業上の利用可能性】
【００６８】
本発明は、安定して傘を支持することができるため、傘の使用、特に、少なくとも強風下（例えば、風雨の強い天候下）における傘の使用において有効である。
【図面の簡単な説明】
【００６９】
【図１】図１は、傘に連結されるとともにヒトの上腕部に取り付けられた本発明の連結支持具の一例を示す概略斜視図である。
【図２】図２は、本発明の他の連結支持具と、この連結支持具を備えた傘の概略斜視図である。
【図３】図３は、本発明のさらに他の連結支持具と、この連結支持具を備えた傘の概略斜視図である。
【図４】図４は、ビーズの嵌入を利用して傘に本発明の連結支持具を連結するための部材の一例を示す概略斜視図である。
【図５】図５は、本発明の別の連結支持具と、この連結支持具を備えた傘の概略斜視図である。
【図６】図６は、傘に連結されるとともに、ヒトの肩部に装着した装着物に取り付けられた本発明の連結支持具の一例を示す概略斜視図である。
【符号の説明】
【００７０】
１…軸部
１ａ…頂部
２…スリーブ
２ａ…径大部
３…下部ストッパ
４…上部ストッパ
５…突起部
７…柄
８…下骨
９…傘骨
１０ａ，１０ｂ，１０ｃ…傘
１１…上腕部
２１…ロープ
２３，９１…フック部材
２３ａ…リング
２３ｃ…フック
２４…リング状アームバンド
３０，４０，５０，８０…連結支持具
４１…板バネ部
４２ａ、４２ｂ…柄部
４３…挟持具
４３ａ…開放部
４５…伸張バネ
４６…面ファスナー
５１、５１ａ…孔
５１ｂ…幅狭部
５２…連結ビーズ
５２ａ…ビーズ
５３…Ｕ字状プラスチック
６０…筒状部材
６２…孔
６３…溝
６４…開放部
７０…溝
８１…チェーン
８１ａ…小リング
８２…リング
９３…リュックサック
９５ａ，９５ｂ…ループ状紐状体
９６…リング状部材
【図１】
2005095559.tif 000003
【図２】
2005095559.tif 000004
【図３】
2005095559.tif 000005
【図４】
2005095559.tif 000006
【図５】
2005095559.tif 000007
【図６】
2005095559.tif 000008